(57)【要約】      （修正有）【課題】火薬類取扱設備の室内温度を効率的に調節することができる火薬類取扱設備用空調システムを提供する。【解決手段】火薬類の消費現場付近に設置される火薬類取扱設備１の室内温度を調節する火薬類取扱設備用空調システム３であって、フレーム本体部３１と、火薬類取扱設備の壁面に設けられている給気用ダクト口と、フレーム本体部とに接続される給気用ダクト３１Ａと、フレーム本体部の内部空間の内面に断熱材４５が設けられ、内部空間内に設置された空調機４３と、空調機の吹き出し口から吹き出された冷気又は暖気の動圧を増加させて、冷気又は暖気を給気用ダクトに送り込む風路誘導部６３とを備える。【選択図】図７
0003223742.tif 000002
【実用新案登録請求の範囲】
【請求項１】
火薬類の消費現場付近に設置される火薬類取扱設備の室内温度を調節する火薬類取扱設備用空調システムであって、
フレーム本体部と、
前記火薬類取扱設備の壁面に設けられている給気用ダクト口と、前記フレーム本体部とに接続される給気用ダクトと、
前記フレーム本体部の内部空間の内面に断熱材が設けられており、当該内部空間内に設置された空調機と、
前記空調機の吹き出し口から吹き出された冷気又は暖気の動圧を増加させて、前記冷気又は前記暖気を前記給気用ダクトに送り込む風路誘導部と
を備えることを特徴とする火薬類取扱設備用空調システム。
【請求項２】
前記火薬類取扱設備の壁面に設けられた排気用ダクト口と、前記フレーム本体部とに接続される排気用ダクトと、
前記フレーム本体部の前記内部空間内に設けられ、前記排気用ダクトを通じて前記火薬類取扱設備の室内空気を排気する排気ファンと
を備えることを特徴とする請求項１に記載の火薬類取扱設備用空調システム。
【請求項３】
前記フレーム本体部の前記内部空間の上面に固定された吊板状の空調機設置部を備え、
前記吹き出し口が下向きになるように前記空調機が前記空調機設置部に設置され、前記空調機設置部において、前記空調機の前記吹き出し口の位置と対応する位置が開口部となっており、
前記空調機設置部に設置された前記空調機からの前記冷気又は前記暖気が、前記開口部を通じて前記風路誘導部に送り込まれる
ことを特徴とする請求項１又は２に記載の火薬類取扱設備用空調システム。
【請求項４】
前記風路誘導部の下方に前記給気用ダクトが接続されており、
前記風路誘導部の内部は、前記空調機側の内部面積が比較的大きく、前記給気用ダクト側に行くほど内部面積が小さくなっている
ことを特徴とする請求項１〜３のいずれかに記載の火薬類取扱設備用空調システム。
【請求項５】
前記フレーム本体部は、高さ方向の略中央部で上部空間と下部空間とに区分されており、
前記フレーム本体部の前記内部空間が前記下部空間であり、
前記上部空間には、前記空調機と配管で接続される室外機が設けられている
ことを特徴とする請求項１〜４のいずれかに記載の火薬類取扱設備用空調システム。
【請求項６】
前記火薬類取扱設備の室内に設けられるものであり、前記火薬類取扱設備の壁面の前記給気用ダクト口及び前記排気用ダクト口に取り付けられる給排気ユニットを備え、
前記給排気ユニットが、
中空箱形であり、吸気用空間と排気用空間に仕切られている本体部と、
前記本体部の前記給気用空間に通じる側面に設けられ、前記給気用ダクト口に取り付けられる給気用取付口と、
前記本体部の前記排気用空間に通じる側面に設けられ、前記排気用ダクト口に取り付けられる排気用取付口と、
前記本体部の上面に設けられ、前記給気用取付口からの前記冷気又は前記暖気を、前記給気用空間を通じて室内に給気する給気口と、
前記本体部の上面に設けられ、室内空気を、前記排気用空間を通じて前記排気用取付口側に排気する排気口と
を有することを特徴とする請求項２〜５のいずれかに記載の火薬類取扱設備用空調システム。
【考案の詳細な説明】
【技術分野】
【０００１】
この考案は、火薬類取扱設備用空調システムに関する。
【背景技術】
【０００２】
例えばトンネルやダム等を建設する際、基礎地盤を形成するために、爆薬（例えば、スラリー爆薬、ダイナマイト等）を用いた基礎掘削が行なわれる。
【０００３】
ダイナマイトを含む火薬類（火薬、爆薬、火工品）は、爆発・燃焼という危険性を有するため、火薬類取締法では、火薬類の貯蔵、運搬、消費等の各種取扱い等が規定されている。
【０００４】
例えば、火薬類取締法では、現場付近に火薬類を貯蔵・管理するため「火薬庫」を設けること、１日の火薬量が基準量を超えるときには、火薬庫とは別に「火薬類取扱所」を設けること、薬包に雷管を取り付けたり、又薬包から雷管を取り外したりする火薬類の発破の準備をするために、火薬庫や火薬類取扱所から離れた位置に「火工所」を設けること等が規定されている。また、火薬庫、火薬類取扱所、火工所に係る建物の構造についても厳しい基準が設けられている。なお、ここでは、火薬庫、火薬類取扱所、火工所に係る建物を総じて「火薬類取扱設備」とも呼ぶ。
【０００５】
従来の火薬類取扱設備として、例えば特許文献１、非特許文献１に開示されるものがある。特許文献１には、気泡コンクリートパネルでもって形成された火薬庫が開示されている。非特許文献１には、火薬類取扱設備が開示されており、火薬類取扱設備の室内に対して温風を送風する簡易の暖房設備も開示されている。
【先行技術文献】
【特許文献】
【０００６】
【特許文献１】特開昭５０−４９８４１号公報
【非特許文献】
【０００７】
【非特許文献１】日機工業株式会社製品カタログ，“火薬保管システム”，［ｏｎｌｉｎｅ］，［２０１８年１０月１６日検索］，インターネット＜http://www.nikkikogyo.jp/storage/index.html＞
【考案の概要】
【考案が解決しようとする課題】
【０００８】
一般的に、火薬類取扱設備は、山間部や寒冷地等に設置され、夏期は近年の温暖化に伴い高温化の傾向が進んでおり、冬期は著しく寒く、降雪も深い。そのため、火薬類取扱設備の室内で火薬類を取扱う作業者は、猛暑の中、若しくは、酷寒の中で作業することになり、作業環境が十分でない。
【０００９】
従来、火薬類取扱設備には暖房設備のみが配備されていることもあるが、冷房設備はない。ダイナマイトの融点は６０℃程度であるので、夏期の高温環境で作業する場合、ダイナマイトが融解してしまう可能性もあり、そのような観点からも作業環境が良好であるとは言えない。
【００１０】
また、従来の暖房設備は温風を火薬類取扱設備の室内に通風するだけのものであるため、暖房効果が十分に機能しているとはいえない。また、降雪により従来の暖房設備が雪に埋もれてしまうケースもあり、その場合には暖房がさらに効かないという問題もある。
【００１１】
そのため、火薬類取扱設備の室内温度を効率的に調節することができる火薬類取扱設備用空調システムが求められている。
【課題を解決するための手段】
【００１２】
かかる課題を解決するために、本考案に係る火薬類取扱設備用空調システムは、火薬類の消費現場付近に設置される火薬類取扱設備の室内温度を調節する火薬類取扱設備用空調システムであって、（１）フレーム本体部と、（２）火薬類取扱設備の壁面に設けられている給気用ダクト口と、フレーム本体部とに接続される給気用ダクトと、（３）フレーム本体部の内部空間の内面に断熱材が設けられており、当該内部空間内に設置された空調機と、（４）空調機の吹き出し口から吹き出された冷気又は暖気の動圧を増加させて、冷気又は暖気を前記給気用ダクトに送り込む風路誘導部とを備えることを特徴とする。
【考案の効果】
【００１３】
本考案によれば、火薬類取扱設備の室内温度を効率的に調節することができる。
【図面の簡単な説明】
【００１４】
【図１】実施形態に係る火薬類取扱設備の正面図である。
【図２】実施形態に係る火薬類取扱設備の側面図である。
【図３】実施形態に係る火薬類取扱設備の平面図である。
【図４】実施形態に係る火薬類取扱設備の断面図である。
【図５】実施形態に係る空調設備の外観構成を示す正面図である。
【図６】実施形態のフレーム本体部の背面下部の板材を外した状態の空調設備の内部構成を示す内部構成図である。
【図７】実施形態において、空調機からの冷気又は暖気が火薬類取扱設備の室内に流れる給気の様子を説明する説明図である。
【図８】実施形態において、火薬類取扱設備の室内の空気が排気ファンにより排気される排気の様子を説明する説明図である。
【図９】実施形態に係る給排気ユニットの構成を示す構成図である。
【図１０】実施形態に係る火薬類管理に係る設備の全体的な構成を説明する説明図である。
【考案を実施するための形態】
【００１５】
（Ａ）主たる実施形態
以下では、本考案に係る火薬類取扱設備用空調システムの実施形態を、図面を参照しながら詳細に説明する。
【００１６】
（Ａ−１）実施形態の構成
（Ａ−１−１）全体構成
図１０は、この実施形態に係る火薬類管理に係る設備の全体的な構成を説明する説明図である。
【００１７】
図１０において、この実施形態に係る火薬類管理に係る設備１０には、概ね、火薬庫１−１、火薬類取扱所１−２、火工所１−３が設けられる。
【００１８】
火薬庫１−１は、火薬類を貯蔵・管理するための保管庫である。作業者は、火薬庫１−１に火薬類を貯蔵すると共に、貯蔵している火薬類の種類及び数量、目的などを管理する。そのため、火薬庫１−１は、火薬類を貯蔵する保管庫としての役割と共に、作業者が火薬類を管理する拠点としての役割を有している。火薬庫１−１は、消費場所に設けられる火薬類取扱所１−２及び火工所１−３から、所定の距離以上離れた場所に設置される。
【００１９】
火薬類取扱所１−２は、火薬類の消費場所に設置され、作業者が、火薬類の管理をしたり、火工所１−３で行なわなければいけない発破準備以外の準備をしたりする建物又は場所である。この実施形態では、消費場所に設置される建物を、火薬類取扱所１−２という。火薬類取扱所１−２の内部で、万が一、火薬類が爆発等した場合に、その被害を抑えるため、火薬類取扱所１−２に持ち込める火薬類の種類や量は限定されている。例えば、火薬類取締法では、消費場所に設置される火薬類取扱所１−２は１箇所とすると定められている。また、火薬類取扱所１−２で作業者が１日に取り扱うことができる火薬類の量等も定められている。したがって、火薬類取扱所１−２で作業者が火薬類を取り扱うときには、火薬庫１−１から１日に取り扱うことができる量の火薬類を、火薬類取扱所１−２に運搬して管理する。また、作業者が全ての火薬類の量を消費せず、火薬類が残った場合、作業者は、その残った火薬量を火薬庫１−１に運搬して貯蔵する。
【００２０】
火工所１−３は、火薬類の消費場所に設置され、作業者が、薬包への雷管の取り付けや、雷管を取り付けた薬包（いわゆる親ダイとも呼ばれている。）を取り扱う建物又は場所である。この実施形態では、消費場所に設置される建物を、火工所１−３という。１日で取り扱う火薬類が少量等のときには、作業者は火薬庫１−１から火工所１−３に火薬類を運搬して作業し、又火薬類取扱所１−２を設置したときには、作業者は、火薬類取扱所１−２から火工所１−３に火薬類を運搬して作業する。
【００２１】
火薬庫１−１、火薬類取扱所１−２、火工所１−３のそれぞれの周囲には、関係者以外の者の侵入防止のために外柵５が設けられている。
【００２２】
外柵５は、例えばステンレスに溶融亜鉛めっき仕上げを施した部材で形成された鋼製外柵を適用することができる。また、外柵５は、火薬庫１−１、火薬類取扱所１−２、火工所１−３のそれぞれの四方を囲むように設けられている。外柵５のフェンス部は、風圧を抑圧するために、例えばメッシュ状となっているものを用いることができる。外柵５には、作業者が出入りするための扉体（図示しない）が設けられている。外柵５の扉体は、火薬庫１−１、火薬類取扱所１−２、火工所１−３のそれぞれに設けられている扉体と対向する側に設けられていることが望ましいが、これに限定されるものではない。
【００２３】
（Ａ−１−２）火薬類取扱設備の構成
次に、この実施形態に係る火薬類取扱設備用空調システムによる空調対象となる火薬庫１−１、火薬類取扱所１−２、火工所１−３の構成を、図面を参照しながら詳細に説明する。
【００２４】
火薬庫１−１、火薬類取扱所１−２、火工所１−３に係る建物の構造は、基本的には、同様の構造とすることができる。したがって、ここでは、火薬庫１−１、火薬類取扱所１−２、火工所１−３に係る建物をまとめて「火薬類取扱設備１」と表現して説明する。
【００２５】
図１は、この実施形態に係る火薬類取扱設備１の正面図であり、図２は、火薬類取扱設備１の側面図であり、図３は、火薬類取扱設備１の平面図であり、図４は、この実施形態に係る火薬類取扱設備１の断面図である。
【００２６】
火薬類取扱設備１は、箱形の構造体であり、土台、柱、梁からなる骨組み部１１と、四方に配置される複数の壁部１２と、骨組み部１１の柱の上方に配置される屋根部１３と、骨組み部１１の下方に配置される床部１４を有する。
【００２７】
火薬類取扱設備１の四方の壁部１２のうち、１つの壁（正面壁）には扉部１５があり、さらに、火薬類取扱設備１の側面壁には、窓、床下換気口１８Ａ、天井換気口１８Ｂがある。なお、窓、床下換気口１８Ａ、天井換気口１８Ｂの設置位置は特に限定されない。
【００２８】
火薬類取扱設備１の室内（内壁や天井や床等）は、静電気により火薬類が爆発することを防止するため、鉄類が露出しないように形成されている。また、火薬類取扱設備１の外側（外壁等）は、火薬類が爆発したときに、その被害拡大を抑えるために鉄板等で形成されており、又静電気が発生しないようにするため、ボルト等の鉄類の突起部が出ないように形成されている。
【００２９】
火薬類取扱設備１は、外柵５の外側に配置された空調設備３と、給気用ダクト３１Ａと排気用ダクト３１Ｂを介して接続している。空調設備３からの冷気又は暖気は、給気用ダクト３１Ａを通じて火薬類取扱設備１の室内に送り込まれ、火薬類取扱設備１の室内空気は、排気用ダクト３１Ｂを通じて、空調設備３側に排出される。これにより、火薬類取扱設備１の室内は快適な温度にすることができる。なお、この実施形態では、給気用ダクト３１Ａと排気用ダクト３１Ｂは、円形筒状配管である場合を例示するが、その形状は特に限定されず、四角形状配管などであってもよい。
【００３０】
［基礎土台９］
火薬類取扱設備１は、火薬類の消費場所付近に設けられる。したがって、その土壌が整地されていないこともあるので、火薬類取扱設備１の設置場所には、例えばコンクリート等により、上面がフラットになるように基礎土台（コンクリートベース）９が形成され、その基礎土台９の上面に火薬類取扱設備１が設置される。基礎土台９は、火薬類取扱設備１の荷重を支持できるのであれば、布基礎又はベタ基礎としてもよい。
【００３１】
［骨組み部１１、土台部１１１］
骨組み部１１は、火薬類取扱設備１の土台、柱、梁等となるフレーム部分である。骨組み部１１は、例えば軽量鉄骨部材をボルトやビス等の固定部材を用いて固定して形成される。
【００３２】
土台部１１１は、火薬類取扱設備１の下部の各角部分に設けられている。土台部１１１は、基礎土台９に対して火薬類取扱設備１の位置を底上げする土台柱としての役割がある。土台部１１１の高さは、火薬類取扱設備１を設置する環境に応じて適宜決定することができるが、例えば１００ｍｍ〜２００ｍｍ程度とすることができる。
【００３３】
ここで、この実施形態では、土台部１１１の高さが１５０ｍｍ程度である場合を例示する。その理由は、火薬類取扱設備１を車両の荷台に積んで現場まで運搬する際に、多くのトンネルを通ることにある。その際、土台部１１１の高さが高くなりすぎると、トンネルの高さ制限により通過することが難しいことがある。例えば、道路法等で車両高さが３８００ｍｍ以下と決められている。したがって、車両の荷台の高さと、土台部１１１を設けた火薬類取扱設備１の底上げ高さとを考慮すると、土台部１１１の高さは１５０ｍｍ程度以下が望ましい。したがって、この実施形態では、土台部１１１の高さを１５０ｍｍ程度する場合を例示する。勿論、土台部１１１の高さはこれに限定されるものではない。また、例えば１００ｍｍ、１５０ｍｍ、２００ｍｍｍ等のように高さの異なる土台部１１１を用意しておき、現場環境に応じて、火薬類取扱設備１の下部に固定する土台部１１１の種類を決定するようにしてもよい。
【００３４】
土台部１１１は、平面視で四角形の柱部材を用いることができる。なお、この実施形態では、土台部１１１の形状が四角形の柱部材である場合を例示するが、これに限定されず、例えば、丸形状、Ｌ字形状、中空の四角形等としてもよい。また、土台部１１１は、骨組み部１１の柱部材（例えばＬ字部材）に対して、例えばボルトやビス等の固定部材で固定されている。例えば、火薬類取扱設備１の下部に設けられた土台部１１１の下面には、基礎土台９に対して固定するため、金属板状のプレートがあり、そのプレートをアンカ等の固定部材を用いて、土台部１１１を基礎土台９に固定するようにしてもよい。
【００３５】
なお、土台部１１１は、火薬類取扱設備１の高さを底上げする役割があるので、火薬類取扱設備１の床部１４の底面と、基礎土台９との間には底上げ空間２が形成される。このように、土台部１１１で火薬類取扱設備１の高さを底上げすることにより、風通しが良好となり、火薬類取扱設備１の室内の湿気を防止できる。その結果、火薬類や雷管の腐食（若しくは火薬類の不発等）を防止できる。
【００３６】
また例えば、集中豪雨等により冠水や土砂が流れ込んでくることも考えられるが、火薬類取扱設備１の高さを底上げすることで、冠水や土砂等による被害を回避することができる。更に、底上げ空間２ができるので、火薬類取扱設備１を基礎土台９に設置する際に、フォークリフト等で火薬類取扱設備１を持ち上げて設置できる。
【００３７】
［壁部１２］
各壁部１２の外壁は、例えば鉄板パネルで形成されており、骨組み部１１に対して鉄板パネルをボルトやナット等で固定される。また、各壁部１２の外壁１２１の内側には、断熱材又は断熱板等の断熱部材１２２が張り付けられている。これにより、断熱効果を得ることができる。各壁部１２の内壁１２３は、木質板が張り付けられている。これは、火薬類取扱設備１内で、作業者が火薬類を取り扱う際に、静電気が発生し、火薬類の爆発を防止するためである。このように、静電気対策のために、火薬類取扱設備１の室内の内壁、床等には鉄類が露出しないようにしている。
【００３８】
各壁部１２の外壁１２１の表面には、遮熱塗料（高日射反射率塗料）が塗布されている。例えば、夏期に、直接日光が火薬類取扱設備１の外側表面に降り注ぐことにより、壁部１２の外壁１２１の表面温度が高くなり、室内温度も高くなることがある。従来、火薬類は爆発の可能性があるため、エアコン等の電気設備の設置に制限があり（例えば、火薬類取締法では、建物内に、エアコン等を設けることを禁止している。）、そのため作業者は高い温度の室内で作業をしている。これに対して、この実施形態のように、壁部１２の外壁１２１の表面に遮熱塗料を塗布することにより、直射日光を高効率で反射することができ、室内温度の高温化を低減できる。その結果、室内で作業する作業者の作業環境を良好にすることができる。なお、屋根部１３の表面にも、遮熱塗料を塗布するようにしてもよい。
【００３９】
また図２に示すように、火薬類取扱設備１の壁部１２には、給気用ダクト３１Ａと接続可能な給気用ダクト口１７Ａと、排気用ダクト３１Ｂと接続可能な排気用ダクト口１７Ｂがある。
【００４０】
［扉部１５、錠１５２ａ及び１５２ｂ］
扉部１５は、作業員が室内に出入りするための開閉体である。扉部１５の外側は、例えば鉄板パネル等で形成されており、又扉部１５の内側は、例えば木質パネル等で形成されている。扉部１５は、骨組み部１１に対して、例えば複数の丁番で開閉可能に取り付けられる。また、扉部１５には、取っ手部１５１、複数（この実施形態では２個）の錠１５２ａ及び１５２ｂを有する。
【００４１】
従来の火薬類取扱設備の扉部には、一般的に、いわゆる佐賀錠（佐賀式防犯錠）と呼ばれる錠前が用いられている。佐賀錠は、一昔前の倉庫や蔵等に使用されている錠前である。
【００４２】
火薬類取扱設備１は火薬類を取り扱う場所であると共に、火薬類を貯蔵する場所でもあるので、関係者以外のものの侵入を強固に防止する必要がある。そこで、この実施形態では、２個のシリンダ錠１５２ａ及び１５２ｂを扉部１５に設けている。これにより、この実施形態は次のような効果を奏する。例えば、従来の佐賀錠は、重量があり、かつ取扱いが難しいが、シリンダ錠１５２ａ及び１５２ｂは、佐賀錠に比べて重量が軽く、かつ、取扱いが容易となる。また、伝統的な佐賀錠を開閉するための鍵はスペアキーの作成が難しく、万が一、鍵を紛失した場合には、錠の開閉ができず、対応が難しくなるが、シリンダ錠１５２ａ及び１５２ｂとすることにより、スペアキーの作成が比較的容易であり、鍵の管理もしやすくなる。
【００４３】
［屋根部１３］
屋根部１３は、骨組み部１１の柱などに対して、垂木１３１や野地板１３２を固定して、屋根部１３の骨組みを形成している。そして、屋根部１３の上方部分及び周囲の部分（すなわち、屋根部１３の外側）には鉄板１３３が張られる。また、屋根部１３の下方には木質板状の天井部１３４が張られて、室内の天井が形成される。
【００４４】
［床部１４］
床部１４は、骨組み部１１の下方に配置される部分であり、骨組み部１１の下部に、例えば鉄板パネル等の導電性の床下部材を張り付け、その床下部材の上面に、例えば木製ボード等も床部材を取り付けて形成される。なお、静電気発生を抑制するため、床部１４の表面の全部又は一部に帯電防止設備（静電気防止対策設備）を施すようにしてもよい。
【００４５】
（Ａ−１−３）火薬類取扱設備用空調システム
以下では、本実施形態に係る火薬類取扱設備用空調システムの構成を、図面を用いて詳細に説明する。火薬類取扱設備用空調システムは、火薬類の消費現場付近に設置される火薬類取扱設備の室内温度を調節するものであり、後述する空調設備３の各構成要素を有する。更に、火薬類取扱設備用空調システムは、必要に応じて、火薬類取扱設備１の室内に設置する、後述の給排気ユニット４７も含むようにしてもよい。
[空調設備の外観構成]
図５は、実施形態に係る空調設備３の外観構成を示す正面図である。
【００４６】
図５において、実施形態に係る空調設備３は、金属フレーム部材や金属板材を用いて、箱形（立方体若しくは直方体）の構造体として組み立てたフレーム本体部３１を有する。フレーム本体部３１の高さは、概ね１８００ｍｍ〜２５００ｍｍ程度とすることができる。従来の火薬類取扱設備に対する暖房設備は、その高さが低く、雪が降り積もったときには、暖房設備自体が雪に埋まってしまい、暖房効果が十分に機能していない。これに対して、この実施形態の空調設備３は高さを確保しており、後述するようにフレーム本体部３１の上段（上部）に室外機４１を配置させて、室外機４１が雪に埋まってしまうことを防いでいる。したがって、積雪があった場合でも、暖房効果を有効に機能させることができる。フレーム本体部３１において、高さ方向の略中央部には、金属フレーム部材や金属板材を用いて形成された仕切り板材３１１が設けられており、フレーム本体部３１の内部空間を上下に２分割している。
【００４７】
＜フレーム本体部の上部＞
仕切り板材３１１で仕切られたフレーム本体部３１の上部（すなわち、仕切り板材３１１の上面３１１ａ）には、室外機４１が固定されている。つまり、仕切り板材３１１の上面３１１ａには、室外機４１を固定するため、例えば金属製の据付部材６１が設けられており、ネジやビス等を用いて据付部材６１に室外機４１を固定している。なお、室外機４１と空調機（室内機４３）とは配管で接続されているが、ここでは図示を省略している。
【００４８】
フレーム本体部３１の上部は、当該上部空間を更に２つの空間に区分するため、正面側から背面側にかけて仕切り板材３１２が設けられており、この仕切り板材３１２の一方の面（外側の面）３１２ａには、後述する空調機４３や排気ファン４４の動作を制御する制御盤４２ａ及び４２ｂが取り付けられている。
【００４９】
制御盤４２ａは、空調機４３、排気ファン４４に電源を投入する電源ボタンが設けられている。制御盤４２ｂは、例えば冷房、暖房、ドライ、送風等の空調機４３の動作モード選択ボタン、温度設定ボタン等がある。なお、制御盤４２ｂに、空調機４３と接続するリモコン受信機を設け、リモコン送信機を通じて空調機４３の動作を制御するようにしてもよい。なお、この実施形態では、電源制御を行なう制御盤４２ａと空調機４３の動作制御をする制御盤４２ｂとを物理的に別々の構成としたが、物理的に１つの制御盤としてもよい。
【００５０】
なお、フレーム本体部３１の上部空間の天井には板材が張られており、上部の底部には上述した仕切り板材３１１が設けられている。そして、フレーム本体部３１で形成される上部空間の四方（正面、背面、右側面、左側面）は開放されている場合を示している。しかし、例えば、火薬類取扱設備１で作業しない期間や、空調設備３を使用していないときや、降雪時や降雨時などに、空調設備３を保護するために、フレーム本体部３１の上部の四方に、板材で覆うようにしてもよい。
【００５１】
具体的には、フレーム本体部３１の上部の正面、背面、右側面、左側面のそれぞれに、ネジやビス等を用いて、板材（図示しない）をフレーム本体部３１に取り付けるようにしてもよい。このようにフレーム本体部３１の上部空間を板材で防護することにより、作業しない期間や空調設備３を使用していないときなどには、室外機４１や制御盤４２等の盗難やいたずら等を防止することができ、又降雪時や降雨時などには、雪や雨による室外機４１や制御盤４２ａ、４２ｂへの被害を防止することができる。
【００５２】
換言すると、空調設備３を使用するときには、フレーム本体部３１の上部の四方の板材を、フレーム本体部３１から取り外してもよく、この実施形態では、説明を容易にするため、フレーム本体部３１上部の板材が取り外されている状態の空調設備３を説明する。
【００５３】
＜フレーム本体部の下部＞
仕切り板材３１１で仕切られているフレーム本体部３１の下部は、その四方（正面、背面、右側面、左側面）が金属板材３２により覆われている。つまり、フレーム本体部の下部の正面、背面、右側面、左側面のそれぞれは、ネジやビス等により板材３２がフレーム本体部３１に固定されて設けられている。
【００５４】
後述するように、フレーム本体部３１の下部の内部空間には、空調機４３や排気ファン４４等が設けられている。そして、フレーム本体部３１の下部の四方を金属板材３２で囲み、空調機４３や排気ファン４４等が設けられているフレーム本体部３１の下部の内部空間の気密性を良好にすることにより、空調機４３による火薬類取扱設備１の室内の冷暖房効果を向上させることでき、さらに冬期でのフレーム本体部３１の下部空間の結露を防止できる。
【００５５】
なお、フレーム本体部３１正面の板材３２には、給気用ダクト３１Ａと接続する給気用ダクト口３２１と、排気用ダクト３１Ｂと接続する排気用ダクト口３２２とが設けられている。
【００５６】
[空調設備の内部構成]
図６は、実施形態のフレーム本体部３１の背面下部の板材を外した状態の空調設備３の内部構成を示す内部構成図である。
【００５７】
図７は、実施形態において、空調機４３からの冷気又は暖気が火薬類取扱設備１の室内に流れる給気の様子を説明する説明図である。
【００５８】
図８は、実施形態において、火薬類取扱設備１の室内の空気が排気ファン４４により排気される排気の様子を説明する説明図である。
【００５９】
＜断熱材＞
図６において、フレーム本体部３１において、仕切り板材３１１で仕切られる下部空間は、気密性を良好とするために断熱材４５が張られている。具体的には、フレーム本体部３１の下部空間の天井である仕切り板材３１１の下面３１１ｂ、フレーム本体部３１の下部の４つの側壁面、フレーム本体部３１の底面には、断熱材４５が設けられている。
【００６０】
このように、フレーム本体部３１の下部の内部空間の天井、４つの側壁面及び底面に断熱材４５を設けることにより、当該下部空間の気密性を高めることができるので、空調機４３による火薬類取扱設備１の室内の冷暖房効果を向上させることができる。
【００６１】
火薬類取扱設備１の設置現場はダイナマイト等の消費現場（例えば山間部等の現場）であるため、冬期は特に冷える。そのような状態で、火薬類取扱設備１の室内を暖めるために空調機４３を動作させようとしても、気密性が低く、フレーム本体部３１下部の内部空間の温度が著しく低く、暖房効果が十分に作用しない。これに対して、この実施形態によれば、空調機４３を収めているフレーム本体部３１の内部空間を断熱材４５で覆い、気密性を向上させることにより、当該内部空間の温度低下を抑えることができ、暖房効果を向上させることができる。また、当該内部空間内の結露も防止できる。
【００６２】
なお、フレーム本体部３１の下部空間の気密性向上や結露防止等が可能あれば、断熱材４５の材質は、特に限定されず、例えばポリウレタン等の合成樹脂製を用いることができる。また、断熱材４５の厚さについても特に限定されず、火薬類取扱設備１の設置現場の状況に応じて適宜決めることができる。また、フレーム本体部３１下部の内壁等に断熱材４５を設けることにより、空調機４３の防音や防振も可能となる。
【００６３】
＜空調機＞
図６〜図８に示すように、フレーム本体部３１の下部には、仕切り板材３１１の下面３１１ｂから吊り下げられた空調機設置部６２が設けられている。
【００６４】
空調機４３は、空調機設置部６２の設置板材６２１の上面に設けられる。空調機４３は、例えば、天井埋込型又は壁掛け型の空調機（冷暖房機：室内機）のいずれかを用いることができ、図７に示すように、吹き出し口４３１が下向きになるように配置される。これにより、空調機４３の吹き出し口４３１からの冷気又は暖気は下向きに流れて風路誘導部６３の内部に送られ、風路誘導部６３に送られた冷気又は暖気は給気用ダクト３１Ａに送られる。このように、空調機４３の吹き出し口４３１を下向きにしたこと、風路誘導部６３を設けたことの詳細な説明は後述する。
【００６５】
＜空調機設置部＞
空調機設置部６２は、空調機４３を設置する設置板部６２１と、支持板部６２２と、仕切り板材３１１の下面３１１ｂに固定されて前記支持板部６２２を支持する複数の支持部６２３とを有する。図６では、気密性を良好とするため、設置板部６２１と支持板部６２２との間に断熱材４５を設けている。
【００６６】
複数の支持部６２３のそれぞれは、棒状部材とすることができ、各支持部６２３の一端は、仕切り板材３１１の下面３１１ｂに固定され、他端は、支持板部６２２の複数の端部のそれぞれを固定することで、空調機設置部６２を吊り板状としている。なお、各支持部６２３が、支持板部６２２の端部を固定して支持する際、断熱材４５の端部を貫通させて、断熱材４５と支持板部６２２とを一緒に固定して支持するようにしてもよい。
【００６７】
支持板部６２２は、例えば金属板で形成されるものであり、上述したように、支持板部６２２の端部が複数の支持部６２３に支持されている。これにより、空調機４３が置かれたときでも支持板部６２２を安定した状態とすることができる。設置板部６２１は、その上面に空調機４３を設置する板状部材である。
【００６８】
図６〜図７に例示するように、設置板部６２１、断熱材４５及び支持板部６２２は、空調機４３の吹き出し口４３１の位置と対応する位置に、開口部（図示しない）が設けられている。具体的には、設置板部６２１、断熱材４５及び支持板部６２２の開口部は、図６の平面視で、左右方向に長い矩形形状等とすることができる。これにより、これら開口部（図示しない）を通じて、空調機４３の吹き出し口４３１からの冷気又は暖気は、風路誘導部６３の内部に送られるようになっている。
【００６９】
＜風路誘導部＞
風路誘導部６３は、空調機４３の吹き出し口４３１から吹き出された冷気又は暖気を、火薬類取扱設備１側と接続している給気用ダクト３１Ａに送り出すものである。
【００７０】
図６〜図７に例示するように、風路誘導部６３は、例えば中空の三角柱の形状となっており、その上部が、設置板部６２１、断熱材４５及び支持板部６２２の開口部（図示しない）を介して、空調機４３の吹き出し口４３１側にあり、下部が、フレーム本体部３１の下部の底面側にあり、風路誘導部６３の下部は、給気用ダクト３１Ａと接続している。
【００７１】
言い換えると、風路誘導部６３の内部は空洞となっており、空調機４３から吹き出された冷気又は暖気の流れ込みを可能とした構造となっている。また、風路誘導部６３は、その上部側に行くほど内部面積（水平面の面積）が大きく、下部側に行くほど、内部面積が小さくなるようなテーパ形状の構造となっている。
【００７２】
このように、空調機４３の吹き出し口４３１から吹き出された冷気又は暖気は、テーパ形状の風路誘導部６３の内部下方に送られることで、速度が速くなり（すなわち、動圧を大きくし）、動圧を増加させた冷気又は暖気が給気用ダクト３１Ａに勢いよく送り込まれることになる。これにより、火薬類取扱設備１から離れた位置にある空調機４３からでも、給気用ダクト３１Ａを通じて、冷気又は暖気を勢いよく火薬類取扱設備１に送り込むことができる。つまり、長さが数メートルの給気用ダクト３１Ａを介しても、冷気又は暖気を室内に送り込むことができるので、従来よりも火薬類取扱設備１の室内を快適な温度に調節できる。
【００７３】
なお、この実施形態では、給気用ダクト３１Ａを介して空調機４３の冷気又は暖気を火薬類取扱設備１の室内に送り込むときに、冷気又は暖気の動圧を大きく（速度を速く）するために、図６や図７に示す風路誘導部６３を設けている。したがって、空調機４３から下向きに吹き出された冷気又は暖気の動圧を増加させることができれば、風路誘導部６３の構造は図６や図７に例示する構造に限定されるものではない。
【００７４】
また、風路誘導部６３は、例えば金属板材で形成されるようにしてもよく、さらに内部にある冷気又は暖気の温度保持や結露防止のために、風路誘導部６３の周囲を断熱材４５で覆うようにしてもよい。
【００７５】
＜排気ファン＞
次に、図６及び図８を用いて、排気ファン４４について説明する。排気ファン４４は、排気用ダクト３１Ｂを介して、火薬類取扱設備１の室内を排気するものであり、例えば、ターボファンを用いることができる。なお、ターボファンとは、遠心送風機のブレードの向きが回転方向に対して逆向きに傾いているものである。
【００７６】
排気ファン４４を動作させることにより、火薬類取扱設備１の室内の空気が排気用ダクト３１Ｂに流れ込み、排気用ダクト３１Ｂを通じて室内空気が、排気ファン４４から排気される。この実施形態の空調機４３により、比較的圧力の高い冷気又は冷気又は暖気を火薬類取扱設備１の室内に送り込むだけでも、冷暖房効果は有効に作用するが、空調機４３と一緒に排気ファン４４を動作させることにより、冷気又は暖気が室内に送り込まれると同時に、火薬類取扱設備１の室内の空気が排気されるので、室内空気が循環するので、より冷暖房効果が有効に作用することになる。
【００７７】
また、フレーム本体部３１の下部空間は断熱材４５で覆われており、気密性が保たれている。したがって、排気ファン４４が排気した空気はフレーム本体部３１の下部空間内に排出され、フレーム本体部３１の下部空間の空気を空調機４３が熱交換することになるので、冷暖房効果が向上する。つまり、空調機４３により火薬類取扱設備１の室内温度が下がっていく又は上がっていくにつれて、排気ファン４４の排気によりフレーム本体部３１の下部空間の温度も下がっていく又は上がっていくので、冷暖房効果があがることになる。
【００７８】
なお、この実施形態では、空調機４３と一緒に排気ファン４４を動作させることを前提として説明したが、空調機４３のみ又は排気ファン４４のみを動作させるようにしてもよい。
【００７９】
＜給排気ユニット＞
次に、火薬類取扱設備１の室内に設けられる給排気ユニットについて図面を参照して説明する。
【００８０】
図９は、実施形態に係る給排気ユニット４７の構成を示す構成図である。
【００８１】
図９において、給排気ユニット４７は、板部材で形成された箱形の本体部４７１と、本体部４７１の内部空間を２分割して給気用区画と排気用区画とを形成する仕切り板部４７９と、給気取付口４７２、給気口４７３、排気取付口４７４、排気口４７５、第１の給気用防塵網４７６、第２の給気用防塵網４７７、排気用防塵網４７８を有する。
【００８２】
給排気ユニット４７は、火薬類取扱設備１の壁面にある給気用ダクト口１７Ａ及び排気用ダクト口１７Ｂに、給排気ユニット４７の給気取付口４７２及び排気取付口４７４を取り付けて、給気用ダクト３１Ａからの冷気又は暖気を室内に送り込み、室内の空気を排気用ダクト３１Ｂに送り込むものである。
【００８３】
給排気ユニット４７の本体部４７１は、直方体の箱形でなり、その内部は、仕切り板部４７９により２分割されて給気用区画と排気用区画が形成されている。このように、本体部４７１の内空間を給気用区画と排気用区画に区分することで、給気と排気の空気の混合を防ぐことができる。
【００８４】
給排気ユニット４７は、火薬類取扱設備１の室内に置かれるものであるため、静電気が発生しないようにする必要がある。したがって、例えば、金属製板材で本体部４７１を形成する場合には、本体部４７１の全ての表面を断熱材で覆うようにしてもよい。これにより、静電気の発生を防ぐと共に、給気及び又は排気される空気の温度を保持することができる。又例えば、木製の板材で本体部４７１を形成するようにしてもよく、その場合でも、給気及び又は排気される空気の温度を保持するために、本体部４７１の全ての表面を断熱材で覆うようにしてもよい。
【００８５】
給気取付口４７２及び排気取付口４７４は、箱形の本体部４７１における同じ側面に設けられており、給気取付口４７２及び排気取付口４７４は、火薬類取扱設備１の壁面の給気用ダクト口１７Ａ及び排気用ダクト口１７Ｂの位置と対応する位置に配置されている。
【００８６】
給気取付口４７２及び排気取付口４７４は、例えば合成樹脂製のパイプ材を用いるようにしてもよい。また、給気取付口４７２及び排気取付口４７４の径は、火薬類取扱設備１の壁面にある給気用ダクト口１７Ａ及び排気用ダクト口１７Ｂの径よりもわずかに大きくして、給排気ユニット４７の取り付けの際には、給気用ダクト口１７Ａ及び排気用ダクト口１７Ｂに、給気取付口４７２及び排気取付口４７４を嵌め込んで取り付ける。
【００８７】
ここで、空調機４３及び又は排気ファン４４を動作させると、給気用ダクト口１７Ａ及び排気用ダクト口１７Ｂから給気音又は排気音が鳴動したり、給気用ダクト口１７Ａ及び排気用ダクト口１７Ｂがわずかに振動したりする。しかし、この実施形態に係る、給排気ユニット４７の給気取付口４７２及び排気取付口４７４を、給気用ダクト口１７Ａ及び排気用ダクト口１７Ｂに取り付けることにより、給気音又は排気音や振動を抑えることができる。換言すると、給気用ダクト口１７Ａ及び排気用ダクト口１７Ｂに給排気ユニット４７を取り付けることにより、静音性及び防振性が得られる。
【００８８】
給気口４７３及び排気口４７５は、箱形の本体部４７１の上面に設けられている。給気口４７３及び排気口４７５を本体部４７１の上面に設けることで、給気される冷気又は暖気を上向きに送り込み、室内の下方に存在する空気を排気することができる。
【００８９】
したがって、冬期には、給気される暖気（比較的重量が軽い空気）を上向きに室内に送り込み、室内の下方に存在する冷たい空位（比較的重量が重い空気）を排気できるので、室内の空気を循環させながら、室内を暖めることができる。夏期には、給気される冷気（比較的重量が重い空気）を室内の上方に向けて室内に送り込み、室内の下方の空気を排気することで、室内の空気を循環させて室内温度を下げることができる。このようにして、室内温度を快適な温度に調節できる。
【００９０】
なお、この実施形態では、給気口４７３及び排気口４７５が両方とも、箱形の本体部４７１の上面に設けられている場合を例示しているが、給気口４７３を本体部４７１の上面に配置し、排気口４７５を本体部４７１の側面（すなわち、排気取付口４７４の設置面と対向する面）に設けるようにしてもよい。これにより、室内の、より下方にある空気を排気できるので、上述した室内循環と同様な効果を得ることができる。
【００９１】
ここで、給気口４７３の上端部に第１の給気用防塵網４７６を設け、更に、給気取付口４７２の端部（本体部４７１の内部にある側の端部）に第２の給気用防塵網４７７を設けている。これは、給気により塵等の異物が室内に送り込まれることにより、これが静電気発生の原因となってしまうことがある。そのため、給気側では、給気取付口４７２の端部に第２の給気用防塵網４７７を設けると共に、給気口４７３の上端部に第１の給気用防塵網４７６を設けるようにしている。
【００９２】
なお、図９では、２つの給気用防塵網（第１の給気用防塵網４７６、第２の給気用防塵網４７７）を設ける場合を例示しているが、例えば、給気口４７３の下端部にも設ける等のように、３つ以上の給気用防塵網を設けるようにしてもよい。給気用防塵網の数を増やすことで給気量が弱くなることがあるので、給気用防塵網の数や網穴の径等は、冷気又は暖気の給気量や異物の大きさ等を考慮して決定することができる。
【００９３】
排気口４７５の上端部に排気用防塵網４７８を設けている。これも、異物が排気されることを防止するためである。ここで、排気取付口４７４の端部（本体部４７１の内部にある側の端部）には、排気用防塵網を取り付けていない。その理由は、排気用防塵網の数を増やすと排気量が弱くなり、室内の空気循環効率に影響が生じ得る。その一方で、異物の排気により静電気が発生する可能性もあるが、排気しているため室内での静電気発生の可能性は低い。そこで、この実施形態では、排気量の向上及び室内循環効率の向上を優先するため、排気取付口４７４の端部に排気用防塵網を設けていない場合を例示している。勿論、静電気発生防止を優先する場合には、２つ以上の排気用防塵網を設けるようにしてもよい。
【００９４】
（Ａ−２）実施形態の効果
以上のように、この実施形態によれば、火薬類取扱設備に対して給気用ダクト及び排気用ダクトで接続した空調設備を備えることにより、火薬類取扱設備の室内温度を調整することができる。
【００９５】
空調設備は、室内機としての空調機を設けているフレーム本体部の下部空間内に断熱材を張ることで気密性を向上させることができる。
【００９６】
また、空調機からの冷気又は暖気は下向きに送られ、空調機の下方にある風路誘導部の内部を冷気又は暖気が流れることにより、冷気又は暖気の速度が速くなった状態で、給気用ダクトを通じて室内に送られる。これにより、冷暖房効果が向上する。
【００９７】
さらに、フレーム本体部の下部空間にある排気ファンが、室内の空気を排気することで、室内空気が循環するので、効率的な冷暖房効果が得られる。
【００９８】
また、火薬類取扱設備の室内に給排気ユニットを給気用ダクト口及び排気用ダクト口を取り付けることで、室内の給気用ダクト口及び排気用ダクト口で鳴動する給気音又は排気音、振動を抑えることができる。
【００９９】
さらに、給排気ユニットの給気口及び排気口は、本体部の上面にあるので、室内において空気の循環を効率的に行なうことができる。
【０１００】
（Ｂ）他の実施形態
（Ｂ−１）上述した実施形態では、フレーム本体部３１の下部空間に、吹き出し口４３１が下向きになるように空調機４３を設置し、その下方に風路誘導部６３が配置する場合を例示した。しかし、これに限定されるものではなく、空調機４３の吹き出し口４３１が、フレーム本体部３の背面側から正面側に向けて、水平方向に冷気又は暖気を吹き出して風路誘導部６３に送り込むようにしてもよい。この場合、図６の三角柱形状の風路誘導部６３の三角形の面がフレーム本体部３１の底面におかれ、内部面積が小さい側の先端側に給気用ダクトが接続されるようにする。このようにすることで、冷気又は暖気は、略水平方向に風路誘導部６３に送られ、風路誘導部６３において冷気又は暖気の動圧が大きくなり、その後、風路誘導部６３からの冷気又は暖気が略水平方向に給気用ダクト３１Ａに送られる。
【０１０１】
（Ｂ−２）また、上述した実施形態又は（Ｂ−１）の実施形態において、給気用ダクト３１Ａの入り口付近若しくは給気用ダクト３１Ａ内に、火薬類取扱設備１側に空気を送るための給気用ファンを設けるようにしてもよい。これにより給気用ダクト３１内を流れる冷気又は暖気を火薬類取扱設備１側に強く送り込むことができ、室内温度を効率的に調節できる。
【符号の説明】
【０１０２】
１…火薬類取扱設備、１−１…火薬庫、１−２…火薬類取扱所、１−３…火工所、１７Ａ…給気用ダクト口、１７Ｂ…排気用ダクト口、
３…空調設備、３１…フレーム本体部、３１１…仕切り板材、４１…室外機、４２ａ及び４２ｂ…制御盤、３２１…給気用ダクト、３２２…排気用ダクト口、４３…空調機（室内機）、４３１…吹き出し口、４４…排気ファン、４５…断熱材、
６２…空調機設置部、６２１…設置板材、６２２…支持板部、６２３…支持部、６３…風路誘導部、
４７…給排気ユニット、４７１…本体部、４７９…仕切り板部、４７２…給気取付口、４７３…給気口、４７４…排気取付口、４７５…排気口、４７６…第１の給気用防塵網、４７７…第２の給気用防塵網、４７８…排気用防塵網。
【図１】
0003223742.tif 000003
【図２】
0003223742.tif 000004
【図３】
0003223742.tif 000005
【図４】
0003223742.tif 000006
【図５】
0003223742.tif 000007
【図６】
0003223742.tif 000008
【図７】
0003223742.tif 000009
【図８】
0003223742.tif 000010
【図９】
0003223742.tif 000011
【図１０】
0003223742.tif 000012
【手続補正書】
【提出日】令和1年8月27日(2019.8.27)
【手続補正１】
【補正対象書類名】実用新案登録請求の範囲
【補正対象項目名】全文
【補正方法】変更
【補正の内容】
【実用新案登録請求の範囲】
【請求項１】
火薬類の消費現場付近に設置される火薬類取扱設備の室内温度を調節する火薬類取扱設備用空調システムであって、
フレーム本体部と、
前記火薬類取扱設備の壁面に設けられている給気用ダクト口と、前記フレーム本体部とに接続される給気用ダクトと、
前記フレーム本体部の内部空間の内面に断熱材が設けられており、当該内部空間内に設置された空調機と、
前記空調機の吹き出し口から吹き出された冷気又は暖気の動圧を増加させて、前記冷気又は前記暖気を前記給気用ダクトに送り込む風路誘導部と
を備えることを特徴とする火薬類取扱設備用空調システム。
【請求項２】
前記火薬類取扱設備の壁面に設けられた排気用ダクト口と、前記フレーム本体部とに接続される排気用ダクトと、
前記フレーム本体部の前記内部空間内に設けられ、前記排気用ダクトを通じて前記火薬類取扱設備の室内空気を排気する排気ファンと
を備えることを特徴とする請求項１に記載の火薬類取扱設備用空調システム。
【請求項３】
前記フレーム本体部の前記内部空間の上面に固定された吊板状の空調機設置部を備え、
前記吹き出し口が下向きになるように前記空調機が前記空調機設置部に設置され、前記空調機設置部において、前記空調機の前記吹き出し口の位置と対応する位置が開口部となっており、
前記空調機設置部に設置された前記空調機からの前記冷気又は前記暖気が、前記開口部を通じて前記風路誘導部に送り込まれる
ことを特徴とする請求項１又は２に記載の火薬類取扱設備用空調システム。
【請求項４】
前記風路誘導部の下方に前記給気用ダクトが接続されており、
前記風路誘導部の内部は、前記空調機側の内部面積が比較的大きく、前記給気用ダクト側に行くほど内部面積が小さくなっている
ことを特徴とする請求項１〜３のいずれかに記載の火薬類取扱設備用空調システム。
【請求項５】
前記フレーム本体部は、高さ方向の略中央部で上部空間と下部空間とに区分されており、
前記フレーム本体部の前記内部空間が前記下部空間であり、
前記上部空間には、前記空調機と配管で接続される室外機が設けられている
ことを特徴とする請求項１〜４のいずれかに記載の火薬類取扱設備用空調システム。
【請求項６】
前記火薬類取扱設備の室内に設けられるものであり、前記火薬類取扱設備の壁面の前記給気用ダクト口及び排気用ダクト口に取り付けられる給排気ユニットを備え、
前記給排気ユニットが、
中空箱形であり、給気用空間と排気用空間に仕切られている本体部と、
前記本体部の前記給気用空間に通じる側面に設けられ、前記給気用ダクト口に取り付けられる給気用取付口と、
前記本体部の前記排気用空間に通じる側面に設けられ、前記排気用ダクト口に取り付けられる排気用取付口と、
前記本体部の上面に設けられ、前記給気用取付口からの前記冷気又は前記暖気を、前記給気用空間を通じて室内に給気する給気口と、
前記本体部の上面に設けられ、室内空気を、前記排気用空間を通じて前記排気用取付口側に排気する排気口と
を有することを特徴とする請求項２〜５のいずれかに記載の火薬類取扱設備用空調システム。